(57)【要約】【課題】自動販売機の冷却ユニットにおいて、凝縮器の熱交換能力を確保しながら、圧縮機の最適な温度を保ち、且つ必要な排水蒸発性能を確保する事が出来る自動販売機を提供する。【解決手段】庫内と区画された自動販売機本体下部に設置される冷却ユニット１と、冷却ユニット１内に設置される凝縮器２と、圧縮機５と、凝縮器５に送風する複数の凝縮器用ファン１１ａ、１１ｂと、蒸発皿７と、複数の凝縮器用ファン１１ａ、１１ｂに対応して蒸発皿７と圧縮機５とに導く分割式エアガイド１２とを備え、複数の凝縮器用ファン１１ａ、１１ｂを独立して制御することにより、凝縮器２の熱交換能力を確保しながら、独立して蒸発皿７と圧縮機５への送風量を最適に制御することができる。【選択図】図１
2012007817.tif 000002
【特許請求の範囲】
【請求項１】
庫内と区画された自動販売機本体下部に設置される冷却ユニットと、前記冷却ユニット内に設置される凝縮器と、圧縮機と、前記凝縮器に送風する複数の凝縮器用ファンと、蒸発皿と、前記複数の凝縮器用ファンに対応して前記蒸発皿と前記圧縮機とに導くエアガイドとを備え、前記複数の凝縮器用ファンを独立して制御することを特徴とする自動販売機。
【請求項２】
外気温検知手段を備え、前記外気温検知手段により前記複数の凝縮器用ファンを独立して制御することを特徴とする請求項１に記載の自動販売機。
【請求項３】
各庫内の冷却、加温設定を検知する庫内運転検知手段を備え、前記庫内運転検知手段により前記複数の凝縮器用ファンを独立して制御することを特徴とする請求項１または２に記載の自動販売機。
【発明の詳細な説明】
【技術分野】
【０００１】
本発明は自動販売機の冷却ユニットに関するものである。
【背景技術】
【０００２】
従来、この種の自動販売機の冷却ユニットとして、特許文献１のものがある。以下、図面を参照しながら上記従来の自動販売機の冷却加温ユニットについて説明する。
【０００３】
図３に示すように冷却ユニット１０１は冷却ユニットの一部である蒸発器を構成しており、庫内と区画された自動販売機本体ケース下部に設置されている。冷却ユニット１０１には凝縮器１０２、圧縮機１０５が設置され配管にて接続されている。凝縮器用ファン１０３は凝縮器１０２後方に設置されており、エアガイド１０４は凝縮器１０２上部に接続され、エアガイド１０４上部にあたるガイド１０４ａにて凝縮器１０２上部からの吐出空気を蒸発皿１０７側へ導く様、形成されている。排気ファン１０６は圧縮機１０５の後方に配置され、蒸発皿１０７には高圧高温の冷媒パイプの一部を引き出して形成された蒸発パイプ１０８と、排水を吸い上げ蒸発させる為の蒸発シート１０９と、排水を蒸発皿１０７に導く為のドレンガイド１１０が設けられている。
【０００４】
以上のように構成された自動販売機の冷却ユニットについて、以下その動作を説明する。
【０００５】
凝縮器用ファン１０３により凝縮器１０２前面から外気を吸い込み凝縮器１０２と熱交換を行う。熱交換を行った外気は高温空気となり、凝縮器用ファン１０３から吐出される。凝縮器１０２下部から吐出された空気は凝縮器１０２の約半分程の高さである圧縮機１０５を空冷し、後方にある排気ファン１０６にて排気される。一方凝縮器１０２上部から吐出された空気はエアガイド１０４にあるガイド１０４ａにより向きを変え、冷却ユニット横に設置された蒸発皿１０７の方へ導かれる。自動販売機の庫内を冷却した場合、図示しない冷却ユニット１０１の蒸発器により庫内空気が凝縮され排水される。その排水はドレンガイド１１０により蒸発皿１０７に導かれ溜まる。溜まった排水は高温の蒸発パイプ１０８の影響を受け、温度が高くなる。溜まった排水は蒸発シートにて吸い上げられ、ガイド１０４ａにて導かれた空気の影響を受けて蒸発を促進する。
【先行技術文献】
【特許文献】
【０００６】
【特許文献１】特開平７−５７１３９号公報
【発明の概要】
【発明が解決しようとする課題】
【０００７】
しかしながら上記従来の自動販売機では、冷却ユニットにおける凝縮器用ファンからの空気の一部を蒸発皿に導いている為、排水量が多い高温多湿条件では蒸発性能が不足するという課題を有していた。
【０００８】
また蒸発性能を向上させる為凝縮器用ファンの風量を上げた場合、同時に圧縮機の冷却を行っている為に圧縮機が冷えすぎてしまう。冷えすぎると蒸発パイプの温度も下がり蒸発性能が不足するという課題を有していた。
【０００９】
また近年環境配慮から使用されるＲ６００ａ（ＨＣ冷媒）用圧縮機は従来のＲ４０７Ｃ（ＨＦＣ冷媒）用圧縮機と比較して吐出ガス温度、圧縮機温度が低くなる為、冷えすぎると低外気温時等、効率が悪くなるという課題を有していた。
【００１０】
本発明は上記従来の課題を解決するもので、凝縮器の熱交換能力を確保しながら、圧縮機の最適な温度を保ち、且つ必要な排水蒸発性能を確保する事が出来る自動販売機を提供することを目的とする。
【課題を解決するための手段】
【００１１】
上記従来の課題を解決するために、本発明の自動販売機は、庫内と区画された自動販売機本体下部に設置される冷却ユニットと、前記冷却ユニット内に設置される凝縮器と、圧縮機と、前記凝縮器に送風する複数の凝縮器用ファンと、蒸発皿と、前記複数の凝縮器用ファンに対応して前記蒸発皿と前記圧縮機とに導くエアガイドとを備え、前記複数の凝縮器用ファンを独立して制御するものである。
【００１２】
これにより、凝縮器の熱交換能力を確保しながら、独立して蒸発皿と圧縮機への送風量を最適に制御することができる。
【発明の効果】
【００１３】
本発明の自動販売機は、庫内と区画された自動販売機本体下部に設置される冷却ユニットと、前記冷却ユニット内に設置される凝縮器と、圧縮機と、前記凝縮器に送風する複数の凝縮器用ファンと、蒸発皿と、前記複数の凝縮器用ファンに対応して前記蒸発皿と前記圧縮機とに導くエアガイドとを備え、前記複数の凝縮器用ファンを独立して制御することで、凝縮器の熱交換能力を確保しながら、独立して蒸発皿と圧縮機への送風量を最適に制御することができ、圧縮機を最適温度に保持することができるとともに、蒸発皿での蒸発性能を確保する事が出来る。
【図面の簡単な説明】
【００１４】
【図１】本発明の実施の形態１における自動販売機の冷却ユニットの構成図
【図２】本発明の実施の形態２における自動販売機の冷却ユニットの構成図
【図３】従来の自動販売機の冷却ユニットの構成図
【発明を実施するための形態】
【００１５】
請求項１に記載の発明は、庫内と区画された自動販売機本体下部に設置される冷却ユニットと、前記冷却ユニット内に設置される凝縮器と、圧縮機と、前記凝縮器に送風する複数の凝縮器用ファンと、蒸発皿と、前記複数の凝縮器用ファンに対応して前記蒸発皿と前記圧縮機とに導くエアガイドとを備え、前記複数の凝縮器用ファンを独立して制御するものであり、凝縮器の熱交換能力を確保しながら、独立して蒸発皿と圧縮機への送風量を最適に制御することができ、圧縮機を最適温度に保持することができるとともに、蒸発皿での蒸発性能を確保する事ができる。
【００１６】
請求項２に記載の発明は、請求項１に記載の発明において、外気温検知手段を備え、前記外気温検知手段により前記複数の凝縮器用ファンを独立して制御するものであり、外気温度に応じて蒸発皿と圧縮機への送風量をさらに最適に制御することができ、圧縮機を最適温度に保持することができるとともに、蒸発皿での蒸発性能を確保する事ができる。
【００１７】
請求項３に記載の発明は、請求項１または２に記載の発明において、各庫内の冷却、加温設定を検知する庫内運転検知手段を備え、前記庫内運転検知手段により前記複数の凝縮器用ファンを独立して制御するものであり、庫内運転の状態からの排水量を想定しながら、圧縮機冷却と蒸発皿への風量を個別にコントロールして双方最適な状態で運転を行う事が出来る。
【００１８】
以下、本発明の実施の形態について、図面を参照しながら説明する。なお、この実施の形態によってこの発明が限定されるものではない。
【００１９】
（実施の形態１）
図１は、本発明の実施の形態１における自動販売機の冷却ユニットの構成図である。
【００２０】
図１において、庫内と区画された自動販売機本体ケース下部に設置されている冷却ユニット１と、冷却ユニット１内に設置されている凝縮器２と、圧縮機５と、凝縮器２後方で圧縮機５との間に複数個設置されている凝縮器用ファンＡ１１ａ及び凝縮器用ファンＢ１１ｂと、分割式エアガイド１２を備え、自動販売機庫内からの排水を導く為のドレンガイド１０と、その排水を蒸発させる為の蒸発皿７と、蒸発シート９を備え、凝縮器用ファンＡ１１ａ及び凝縮器用ファンＢ１１ｂを個別に制御する為の凝縮器用ファンコントロール部１３と、外気温を検知する為の外気温検知手段１４から構成されている。
【００２１】
凝縮器用ファンＡ１１ａ及び凝縮器用ファンＢ１１ｂはそれぞれ矩形状の軸流ファンで凝縮器２に対して併設されている。分割式エアガイド１２は凝縮器用ファンＡ１１ａと凝縮器用ファンＢ１１ｂとの間に仕切りがある一体構造となっており、一方を圧縮機５に向けてガイドし、他方を蒸発皿７に向けてガイドするものである。そして、凝縮器用ファンコントロール部１３により、凝縮器用ファンＡ１１ａ及び凝縮器用ファンＢ１１ｂはそれぞれ独立して制御されている。
【００２２】
以上のように構成された自動販売機について、以下その動作、作用を説明する。
【００２３】
凝縮器用ファンＡ１１ａ及び凝縮器用ファンＢ１１ｂにより凝縮器２前面から外気を吸い込み凝縮器２と熱交換を行う。熱交換を行った外気は高温空気となり、凝縮器用ファンＡ１１ａ及び凝縮器用ファンＢ１１ｂから吐出される。凝縮器用ファンＡ１１ａ及び凝縮器用ファンＢ１１ｂ後方に設けられた分割式エアガイド１２は凝縮器用ファンＡ１１ａと凝縮器用ファンＢ１１ｂ間に仕切りがある構造となっており、凝縮器用ファンＡ１１ａから吐出された空気と凝縮器用ファンＢ１１ｂから吐出された空気を分割する事が出来る。
【００２４】
凝縮器用ファンＡ１１ａから吐出された空気を圧縮機５へ送り圧縮機５の冷却を行う。凝縮器用ファンＢ１１ｂから吐出された空気は分割式エアガイド１２の影響を受けて向きを変え、冷却ユニット１横に設置された蒸発皿７の方へ導かれる。自動販売機の庫内を冷却した場合、図示しない冷却ユニット１の蒸発器により庫内空気が凝縮され排水される。その排水はドレンガイド１０により蒸発皿７に導かれ溜まる。溜まった排水は蒸発シート９にて吸い上げられ、凝縮器用ファンＢ１１ｂから吐出された空気の影響を受けて蒸発を促進する事が出来る。凝縮器用ファンＡ１１ａ及び凝縮器用ファンＢ１１ｂは外気温検知手段１４からの外気温度により凝縮器用ファンコントロール部１３にて個別に風量制御（例：電圧制御、ＰＷＭ制御等）を行う事が出来る。
【００２５】
例えば、真夏の外気高温条件では、圧縮機５が高温になり、且つ排水量が多くなる為、凝縮器用ファンＡ１１ａ及び凝縮器用ファンＢ１１ｂは共に高速回転となり共に風量多となる。
【００２６】
また、外気中温条件では、圧縮機温度を適温に保ち、且つ排水蒸発性能を維持する為、凝縮器用ファンＡ１１ａを中速もしくは低速回転、凝縮器用ファンＢ１１ｂを高速回転とする。
【００２７】
また、外気低温条件では、圧縮機５を冷えすぎない、且つ排水量が少なくなる為、凝縮器用ファンＡ１１ａを低速回転、凝縮器用ファンＢ１１ｂを中速もしくは低速回転とする。
【００２８】
これにより圧縮機５冷却と蒸発皿７への風量を個別にコントロールする事が出来、凝縮器２の熱交換は同性能に行いながら圧縮機５の冷えすぎを防ぐ等最適な圧縮機５の温度を保ち、且つ必要な排水蒸発性能を外気温別に変化させながらそれぞれに最適な運転を行う事が出来る。
【００２９】
（実施の形態２）
図２は、本発明の実施の形態２における自動販売機の冷却ユニットの構成図である。なお、実施の形態１と同一構成については、同一符号を付して詳細な説明は省略する。
【００３０】
図２において、庫内と区画された自動販売機本体ケース下部に設置されている冷却ユニット１と、冷却ユニット１内に設置されている凝縮器２と、圧縮機５と、凝縮器２後方に複数設置されている凝縮器用ファンＡ１１ａ及び凝縮器用ファンＢ１１ｂと、分割式エアガイド１２を備え、自動販売機庫内からの排水を導く為のドレンガイド１０と、その排水を蒸発させる為の蒸発皿７と、蒸発シート９を備え、凝縮器用ファンＡ１１ａ及び凝縮器用ファンＢ１１ｂを個別に制御する為の凝縮器用ファンコントロール部１３と、外気温を検知する為の外気温検知手段１４と庫内運転検知手段１５から構成されている。庫内運転検知手段１５は各庫内毎にＣＯＬＤ運転を行っているか否かを判定するものである。
【００３１】
以上のように構成された自動販売機について、以下その動作、作用を説明する。
【００３２】
凝縮器用ファンＡ１１ａ及び凝縮器用ファンＢ１１ｂにより凝縮器２前面から外気を吸い込み凝縮器２と熱交換を行う。熱交換を行った外気は高温空気となり、凝縮器用ファンＡ１１ａ及び凝縮器用ファンＢ１１ｂから吐出される。凝縮器用ファンＡ１１ａ及び凝縮器用ファンＢ１１ｂ後方に設けられた分割式エアガイド１２は凝縮器用ファンＡ１１ａ―凝縮器用ファンＢ１１ｂ間に仕切りがある構造となっており、凝縮器用ファンＡ１１ａから吐出された空気と凝縮器用ファンＢ１１ｂから吐出された空気を分ける事が出来る。凝縮器用ファンＡ１１ａから吐出された空気を圧縮機５へ送り圧縮機５の冷却を行う。凝縮器用ファンＢ１１ｂから吐出された空気は分割式エアガイド１２の影響を受けて向きを変え、冷却ユニット１横に設置された蒸発皿７の方へ導かれる。自動販売機の庫内を冷却した場合、図示しない冷却ユニット１の蒸発器により庫内空気が凝縮され排水される。その排水はドレンガイド１０により蒸発皿７に導かれ溜まる。溜まった排水は蒸発シート９にて吸い上げられ、凝縮器用ファンＢ１１ｂから吐出された空気の影響を受けて蒸発を促進する事が出来る。
【００３３】
近年、缶自販機等は本体庫内が複数の断熱材で仕切られ、２〜４の複数の庫内に分かれており各庫内毎にＨＯＴ／ＣＯＬＤ運転が出来るようになっている。各庫内毎にＣＯＬＤ運転を行っているか否かを判定出来る庫内運転検知手段１５を設ける。
【００３４】
凝縮器用ファンＡ１１ａ及び凝縮器用ファンＢ１１ｂは外気温検知手段１４からの外気温度及び庫内運転検知手段１５によるＣＯＬＤ運転状況により凝縮器用ファンコントロール部１３にて個別に風量制御（例：電圧制御、ＰＷＭ制御等）を行う事が出来る。
【００３５】
例えば、外気高温条件＋ＣＯＬＤ運転数が多い場合は、圧縮機５が高温になり、且つ排水量が多くなる為、凝縮器用ファンＡ１１ａ及び凝縮器用ファンＢ１１ｂは共に高速回転となり共に風量多となる。
【００３６】
また、外気中温条件＋ＣＯＬＤ運転数が多い場合は、圧縮機温度を適温に保ち、且つ排水量も多い為、凝縮器用ファンＡ１１ａを中速もしくは低速回転、凝縮器用ファンＢ１１ｂを高速回転とする。
【００３７】
また、外気中温条件＋ＣＯＬＤ運転数が少ない場合は、圧縮機温度を適温に保ち、且つ排水量も減少する為、凝縮器用ファンＡ１１ａを中速もしくは低速回転、凝縮器用ファンＢ１１ｂを中速回転とする。
【００３８】
また、外気低温条件＋ＣＯＬＤ運転数では、圧縮機５を冷えすぎない、且つ排水量がさらに減少する事から凝縮器用ファンＡ１１ａを低速回転、凝縮器用ファンＢ１１ｂを中速もしくは低速回転とする。
【００３９】
これにより圧縮機５冷却と蒸発皿７への風量を凝縮器２の熱交換は同性能に行いながら個別にコントロールする事が出来る。
【００４０】
外気温と各庫内のＣＯＬＤ運転数からそれぞれ最適な風量を求め、圧縮機５の冷えすぎを防ぐ等最適な圧縮機５の温度を保ちながら、且つ必要な排水蒸発性能を条件別に変化させながら運転を行う事が出来る。また必要な風量だけで運転する為省エネになる。
【産業上の利用可能性】
【００４１】
以上のように本発明にかかる自動販売機の冷却ユニットはショーケースや冷蔵庫等の圧縮機冷却と排水蒸発を同時に行う用途にも適用出来る。
【符号の説明】
【００４２】
１      冷却ユニット
２      凝縮器
５      圧縮機
７      蒸発皿
１１ａ  凝縮器用ファンＡ
１１ｂ  凝縮器用ファンＢ
１２    分割式エアガイド
１３    凝縮器用ファンコントロール部
１４    外気温検知手段
１５    庫内運転検知手段
【図１】
2012007817.tif 000003
【図２】
2012007817.tif 000004
【図３】
2012007817.tif 000005